(57)【特許請求の範囲】
【請求項１】
浴槽載置部と洗い場との境界部に沿って凸条の仕切り部が突設され、仕切り部の長手方向に沿って浴槽のエプロンが取り付けられ、浴槽載置部には、浴槽排水口の真下に配置される浴槽水排水孔と、浴槽載置部上のオーバーフロー水を排水する逆止弁付きオーバーフロー排水孔とがそれぞれ設けられ、浴槽載置部の下方に浴槽水排水孔及びオーバーフロー排水孔にそれぞれ接続される接続管が設置され、接続管からの排水を洗い場側排水口の排水トラップに集めて排水管に排水すると共に、浴槽水の排水時に接続管からオーバーフロー排水孔への排水の逆流を逆止弁により防止するようにした浴室ユニットにおいて、仕切り部の長手方向に沿う浴槽の側辺を仕切り部に近接配置すると共に、仕切り部の長手方向における浴槽の端辺中央に上記オーバーフロー排水孔の逆止弁を配置し、仕切り部の長手方向における浴槽の隅部と上記逆止弁との間に逆止弁の点検・交換等を行なうための作業用スペースを形成し、作業用スペースの洗い場側に面した部位に着脱可能な点検蓋部を設けたことを特徴とする浴室ユニット。
【請求項２】
上記浴槽のエプロンを取り外し可能とし、このエプロンを作業用スペースの点検蓋部として兼用することを特徴とする請求項１記載の浴室ユニット。
【請求項３】
上記浴槽載置部及び洗い場を備える浴室ユニットが平面視で長方形状に形成され、上記長方形の一方の短辺の巾方向の１／２の位置よりも一方の長辺側にずらした位置から、上記他方の短辺の巾方向の１／２の位置よりも他方の長辺側にずらした位置に至る境界部に沿って仕切り部を設け、一方の短辺側の巾が広く且つ他方の短辺側の巾が狭くなった浴槽と、一方の短辺側の巾が狭く且つ他方の短辺側の巾が広くなった洗い場とに仕切り、浴槽の巾狭の端辺側に寄せて上記浴槽排水口と上記逆止弁付きオーバーフロー排水孔と上記洗い場側排水口とを互いに近接配置すると共に、仕切り部の長手方向における浴槽の隅部の上方に吐水金具を備えるカウンター部を設置したことを特徴とする請求項１記載の浴室ユニット。
【請求項４】
上記浴槽の隅部の空きスペース内に、浴槽に接続される追い炊き用給湯口及び戻り口と、吐水金具に接続される給湯口及び給水口とを一体に備えた給湯給水用配管ブロックを収納し、この給湯給水用配管ブロックを給湯給水機器に接続したことを特徴とする請求項３記載の浴室ユニット。
【発明の詳細な説明】
【技術分野】
【０００１】
本発明は、浴室ユニットに関し、詳しくは浴室ユニットの浴槽載置部上のオーバーフロー水を排水するためのオーバーフロー排水孔の逆止弁の配置及び逆止弁の補修・交換等を行なう作業用スペースの配置構造に関するものである。
【背景技術】
【０００２】
ユニットバスルームの排水設備構造の従来例を図９、図１０に示す。浴槽載置部１Ａと洗い場２との境界部に沿って凸条の仕切り部７が突設され、仕切り部７の長手方向Ｊの全長に亘って浴槽１のエプロン５が取り付けられ、浴槽載置部には、浴槽排水口１０の真下に配置される浴槽水排水孔と、浴槽載置部上のオーバーフロー水を排水する逆止弁１４付きオーバーフロー排水孔とがそれぞれ設けられ、浴槽載置部の下方に浴槽水排水孔１０ａ及びオーバーフロー排水孔にそれぞれ接続される接続管が設置され、接続管からの排水を洗い場側排水口１１の排水トラップに集めて排水管に排出すると共に、上記逆止弁１４により接続管からオーバーフロー排水孔への排水の逆流を防止することで、浴槽水排水孔及びオーバーフロー排水孔からの排水を円滑に行なうようにした排水構造が知られている（例えば特許文献１参照）。
【０００３】
ところでオーバーフロー排水孔に設けられる逆止弁１４は、長期間の使用によって目詰まりを起こしたり、逆止機能が低下することがあり、この場合、浴槽載置部の上にオーバーフロー水が溜まって不衛生となるため、一定期間ごとに補修・点検を行なう必要がある。
【０００４】
また従来は、仕切り部７の長手方向に沿う浴槽１の側辺中央側に逆止弁１４を配置すると共に、浴槽１の側辺を仕切り部７から離して作業用スペース２０を形成し、洗い場２側から作業用スペース２０に手を入れて逆止弁１４の補修・交換等を行なうようにしている。このため、図１０に示すように、浴槽１の側辺を作業用スペース２０の分だけ仕切り部７から離す必要があり、このため浴槽１の巾寸法が狭められてしまうという問題がある。しかも逆止弁１４の点検はたまにしか行なわれないため、作業用スペース２０が無駄なデッドスペースになるという問題もある。
【特許文献１】特開２００３−１７１９６０号公報
【発明の開示】
【発明が解決しようとする課題】
【０００５】
本発明は上記の従来の問題点に鑑みて発明したものであって、仕切り部の長手方向に沿う浴槽の側辺を仕切り部に近づけて配置でき、浴槽の巾寸法を大きく確保できるものでありながら、浴槽載置部に逆止弁付きオーバーフロー排水孔と作業用スペースとを設けることができる浴室ユニットを提供することを課題とするものである。
【課題を解決するための手段】
【０００６】
前記課題を解決するために本発明は、浴槽載置部１Ａと洗い場２との境界部に沿って凸条の仕切り部７が突設され、仕切り部７の長手方向Ｊに沿って浴槽１のエプロン５が取り付けられ、浴槽載置部１Ａには、浴槽排水口１０の真下に配置される浴槽水排水孔１０ａと、浴槽載置部１Ａ上のオーバーフロー水を排水する逆止弁１４付きオーバーフロー排水孔１５とがそれぞれ設けられ、浴槽載置部１Ａの下方に浴槽水排水孔１０ａ及びオーバーフロー排水孔１５にそれぞれ接続される接続管１６が設置され、接続管１６からの排水を洗い場側排水口１１の排水トラップ１８に集めて排水管１７に排水すると共に、浴槽水の排水時に接続管１６からオーバーフロー排水孔１５への排水の逆流を逆止弁１４により防止するようにした浴室ユニットにおいて、仕切り部７の長手方向Ｊに沿う浴槽１の側辺１ａを仕切り部７に近接配置すると共に、仕切り部７の長手方向Ｊ側における浴槽１の端辺１ｂ中央に上記オーバーフロー排水孔１５の逆止弁１４を配置し、仕切り部７の長手方向Ｊ側における浴槽１の隅部１ｃと上記逆止弁１４との間に逆止弁１４の点検・交換等を行なうための作業用スペース２０を形成し、作業用スペース２０の洗い場２側に面した部位に着脱可能な点検蓋部２１を設けたことを特徴としている。
【０００７】
このような構成とすることで、点検蓋部２１を開放して、仕切り部７の長手方向Ｊ側の作業用スペース２０から手を入れて、仕切り部７の長手方向Ｊ側における浴槽１の端辺１ｂ中央に配置された逆止弁１４の補修・交換等を行なうことができる。従って、従来のように仕切り部７の長手方向Ｊに沿う浴槽１の側辺１ａと仕切り部７との間に作業用スペース２０を確保する必要がなくなり、仕切り部７の長手方向Ｊに沿う浴槽１の側辺１ａを仕切り部７に近接配置できるので、浴槽１の巾寸法Ｌを大きく確保でき、浴槽載置部１Ａ全体を浴槽スペースとして有効利用できるようになる。
【０００８】
また、上記浴槽１のエプロン５を取り外し可能とし、このエプロン５を作業用スペース２０の点検蓋部２１として兼用するのが好ましく、この場合、エプロン５を取り外すことでエプロン５自体を点検蓋部２１として機能させることができるので、エプロン５に点検口を孔あけ加工する必要がなく、エプロン５の外観を良好に保てるようになる。
【０００９】
また、上記浴槽載置部１Ａ及び洗い場２を備える浴室ユニットＹが平面視で長方形状に形成され、上記長方形の一方の短辺の巾方向の１／２の位置よりも一方の長辺側にずらした位置から、上記他方の短辺の巾方向の１／２の位置よりも他方の長辺側にずらした位置に至る境界部に沿って仕切り部７を設け、一方の短辺側の巾が広く且つ他方の短辺側の巾が狭くなった浴槽１と、一方の短辺側の巾が狭く且つ他方の短辺側の巾が広くなった洗い場２とに仕切り、浴槽１の巾狭の端辺１ｂ側に寄せて上記浴槽排水口１０と上記逆止弁１４付きオーバーフロー排水孔１５と上記洗い場側排水口１１とを互いに近接配置すると共に、仕切り部７の長手方向Ｊ側における浴槽１の隅部１ｃの上方に吐水金具８を備えるカウンター部２２を設置するのが好ましく、この場合、狭いスペースに設置する浴室ユニットＹであっても、浴槽１は一方の短辺Ａ側の巾が広く且つ他方の短辺Ｂ側の巾が狭くなっていることで、巾の広い方を巾の広い肩が位置する頭部側、巾の狭い方を巾の狭くてもよい足先側とすることで、足を伸ばしたり、背中を後に反らせ頭部を浴槽１部の上縁部に凭れかけるというようなリラックスした姿勢で入浴できると共に、洗い場２は一方の短辺Ａ側の巾が狭く且つ他方の短辺Ｂ側の巾が広くなっていることで、巾が広くなった方で身体を洗うことで身体を洗うのに十分なスペースを確保できる。また、浴槽排水口１０と逆止弁１４付きオーバーフロー排水孔１５と洗い場側排水口１１とを互いに近接配置することで、これらを接続する接続管１６の長さが短くて済み配管構造を簡素化でき、そのうえカウンター部２２に設けた吐水金具８からの洗い場排水位置を洗い場側排水口１１に近づけることができるので、洗い場排水が近い距離にある洗い場側排水口１１へとスムーズに排水されるので、洗体時の汚れ水が洗い場２の広い範囲に流れたり、仕切り部７を越えて浴槽載置部１Ａ側へと流れ込んだりするのを防止できると共に、仕切り部７の長手方向Ｊ側における浴槽１の隅部１ｃの空きスペース１９を利用して吐水金具８を備えるカウンター部２２を効率良く設置できるようになる。
【００１０】
また、上記浴槽１の隅部１ｃの空きスペース１９内に、浴槽１に接続される追い炊き用給湯口２３及び戻り口２４と、吐水金具８に接続される給湯口２５及び給水口２６とを一体に備えた給湯給水用配管ブロック２７を収納し、この給湯給水用配管ブロック２７を給湯給水機器に接続するのが好ましく、この場合、隅部１ｃの空きスペース１９を有効利用して浴槽１への追い炊き用の配管と、カウンター部２２の吐水金具８への給湯給水用の配管とを１箇所で集中して行なうことができる。
【発明の効果】
【００１１】
本発明は、仕切り部の長手方向に沿う浴槽の側辺を仕切り部に近接配置したことにより、浴槽の巾寸法を大きく確保でき、浴槽載置部全体を浴槽スペースとして有効利用できるものであり、また、仕切り部の長手方向における浴槽の端辺中央にオーバーフロー排水孔の逆止弁を配置し、仕切り部の長手方向における浴槽の隅部と逆止弁との間に作業用スペースを形成し、作業用スペースの洗い場側に面した部位に着脱可能な点検蓋部を設けたことにより、浴槽の巾寸法を大きく確保しながら、逆止弁とその補修・交換等のための作業用スペースとを十分に確保できる浴室ユニットを提供できるものである。
【発明を実施するための最良の形態】
【００１２】
以下、本発明を添付図面に示す実施形態に基いて説明する。
【００１３】
図４乃至図６には浴室ユニットＹが示してある。この浴室ユニットＹは設置スペースが狭い（例えば０．７５坪）箇所に設置されるもので、平面視長方形状をしている（例えば、平面視で短辺Ａ、Ｂがそれぞれ８９３ｍｍ、長辺Ｃ、Ｄが１６５０ｍｍとなっている）。
【００１４】
この平面視長方形状をした浴室ユニットＹは、図７の模式図に示すように、平面視で長方形の一方の短辺Ａの巾方向の１／２の位置よりも一方の長辺Ｃ側にずらした位置から、他方の短辺Ｂの巾方向の１／２の位置よりも他方の長辺Ｄ側にずらした位置に至る仮想分割線Ｅを凸条の仕切り部７として、浴室ユニットＹを２つのエリアＦ、Ｇに仕切ってあり、一方のエリアＦは、一方の短辺Ａ側の巾が広く且つ他方の短辺Ｂ側の巾が狭くなった浴槽１が配置され、他方のエリアＧは、一方の短辺Ａ側の巾が狭く且つ他方の短辺Ｂ側の巾が広くなった洗い場２が配置される。
【００１５】
上記仕切り部７の長手方向Ｊ全長に亘って浴槽１のエプロン５が配置されている。本例ではエプロン５は浴槽１及び仕切り部７に対して取り外し可能となっており、エプロン５を逆止弁１４の点検蓋部２１として兼用できるようにしている。その一例として、図２に示すように、エプロン５の上端部に浴槽１のフランジ部６から垂下した垂下片６ｄの内面側に引っ掛けられる上引掛片５ａを設け、エプロン５の下端部にＺ形金具４０の一端にビス２９で取り付けられる下係止片５ｂを設け、Ｚ形金具４０の他端を仕切り部７の頂部にビス止めしている。従って、ビス２９を外して下係止片５ｂを仕切り部７のＺ形金具４０から取り外し、上引掛片５ａを浴槽１のフランジ部６から取り外すことで、エプロン５が着脱可能となっている。
【００１６】
一方、浴槽１は、図４に示すように、上方が開口した槽である浴槽部４の上端開口縁の周囲にフランジ部６を設けて構成してある。浴槽部４は平面視略台形状をしており、一方の短辺Ａに近い方の台形の下底側が槽の巾が広くなっており、また、他方の短辺Ｂに近い方の台形の上底側が槽の巾が狭くなっており、上記槽の巾の広い方が入浴時に入浴者の頭が位置する頭部Ｈ側、槽の巾が狭い方が入浴時に足先Ｉ側となっている。
【００１７】
浴槽１は長辺Ｄに沿っているため、浴槽部４は長辺Ｄに沿って長く形成できる（例えば、約１３００ｍｍ）。しかしながら、浴槽１は長辺Ｄに沿っているため上記のように浴槽部４の長さを長く取っても更に余裕があり、このため、浴槽１のフランジ部６のうち他方の短辺Ｂ側のフランジ部６である足先側フランジ部６ｂは長辺Ｄに沿った方向の寸法が長くなっている。
【００１８】
また、浴槽部４の頭部Ｈ側は一方の短辺Ａに近い浴槽１の巾広側であり、且つ、該浴槽１の巾広側は上記一方の短辺Ａの１／２以上の巾であるため、浴室ユニットＹが狭い設置スペースに設置するタイプで一方の短辺Ａの巾寸法が短いものであっても、浴槽部４の頭部Ｈ側に入浴者の頭部が位置し且つ足先が足先Ｉ側に位置するような姿勢で入浴することで、入浴者の肩、臀部等が位置する部分の槽の巾を十分に確保することができるようになっている。ちなみに、上記例で浴槽部４の頭部Ｈ側の巾は例えば約６００ｍｍ程度は確保でき、成人の大人の臀部、肩等を余裕を持って配置できる。一方、浴槽部４の足先Ｉ側の巾は狭い（例えば、約２２０ｍｍ）がこの部分は入浴者の足先が位置するだけでよいので、巾が狭くても問題はない。
【００１９】
図４に示す実施形態では、浴槽１を配設するエリアＦと洗い場２を配設するエリアＧとを仕切る仮想分割線Ｅのうち、浴槽部４の長手方向Ｊの大部分に沿った部分は平面視長方形状をした浴室ユニットＹの長方形の長辺Ｄ、Ｃに対して傾斜しているが、該仮想分割線Ｅのうち他方の短辺Ｂ側に近い方の部分は長辺Ｄ、Ｃと略平行となっている。
【００２０】
上記仮想分割線Ｅの他方の短辺Ｂ側に近い方の長辺Ｄ、Ｃと略平行となった部分の寸法は上記足先側フランジ部６ｂの長辺Ｄ、Ｃに沿った方向の寸法よりも長く、このため、図７に示すようにフランジ部６のうち浴槽部４の上開口の洗い場２側の縁部とエプロン５（仮想分割線Ｅ）との間のフランジ部６である洗い場側フランジ部６ｃの他方の短辺Ｂ側に片寄った部分は洗い場側フランジ部６ｃの他の部位よりも巾広となった平面視で略三角形をした洗い場側巾広フランジ部６ｃ’となっており、この洗い場側巾広フランジ部６ｃ’が足先側フランジ部６ｂに連続している。
【００２１】
洗い場２は床パンにより構成してあり、前述のように洗い場２は巾広側である他方の短辺Ｂ側は上記他方の短辺Ｂの１／２以上の巾であるため、浴室ユニットＹが狭い設置スペースに設置するタイプで他方の短辺Ｂの巾寸法が短いものであっても、洗い場２の他方の短辺Ｂ側は身体を動かして洗うのに十分な巾を確保でき（例えば上記実施形態では約７８０ｍｍ程度確保でき）、しかも、上記のように洗い場側巾広フランジ部６ｃ’に首振り用吐水金具８に取付ける。首振り用吐水金具８は洗い場２の巾広となった部分に対向すると共に足先側フランジ部６ｂよりも他方の短辺Ｂから離れているので、洗い場２の巾広となった部分で身体を洗う際に、洗い場側巾広フランジ部６ｃ’に設けた首振り用吐水金具８側を向くように座って身体を洗う動作を行なうことで、首振り用吐水金具８から吐水される湯水で顔を洗ったり、首振り用吐水金具８から吐水される湯水を洗面器に溜めたり、該洗面器に溜めた湯水を利用して身体を洗ったりする動作が無理無く楽に行えることになる。
【００２２】
浴室ユニットＹには、図７に示すように、洗い場２に面した一方の長辺Ｃに沿って出入口部３が設けてある。この出入口部３は洗い場２に面した上記一方の長辺の他方の短辺側にずれた位置に設けてあって、出入口部３が洗い場２の巾広となった部分に対向し、狭い設置スペースに配置する狭い浴室ユニットＹであっても、洗い場２の巾広となった部分に出入することができて、スムーズに出入ができるようになっている。また、上記のように洗い場２に面した上記一方の長辺Ｃ側に出入口部３を設けるので、出入口部３の巾を広く取ることができ、３枚引戸よりなる出入口部３を設けることができ、狭いスペースに設置する浴室ユニットＹであっても、巾の広い３枚引戸を出入口部に設置できて出入用開口を広く取ることが可能となる。
【００２３】
浴室ユニットＹの一方の短辺Ｂ側の洗い場２の巾狭部分に対応する位置には、図４、図５に示すように、蓋収納部１２が設けてあり、浴槽１の上に載置して浴槽部４の上開口を閉じるための複数に分割した風呂蓋９を収納することができるようになっている。蓋収納部１２は下支持部１２ａと上支持部１２ｂとを備え、下支持部１２ａはフランジ部６と同じレベルとなっており、蓋収納部１２の下支持部１２ａに載設支持した風呂蓋９の一部が図４、図６に示すようにフランジ部６上にも載設支持されるようになっている。
【００２４】
また、浴室ユニットＹの他方の短辺Ｂの浴槽１に対応する部分には図４、図６に示すようにシャワーホース１３の一端部が取付けてある。取付け位置は浴室ユニットＹの壁パネルに取付けてもよく、あるいは、足先側フランジ部６ｂに取付けてもよい。このように浴室ユニットＹの他方の短辺Ｂの浴槽１に対応する部分にはシャワーホース１３の一端部を取付けても、前述のように足先側フランジ部６ｂの長辺Ｃ方向の寸法が長く取れるので、この足先側フランジ部６ｂの上方の空間を利用してシャワーホース１３の収納、あるいは使用の際の洗い場２側への引出し等ができる。
【００２５】
一方、浴槽部４の底部の足先Ｉ側の端部には浴槽排水口１０が設けてあり、洗い場２の上記浴槽排水口１０及び首振り用吐水金具８の近くの部位には洗い場側排水口１１が設けてある。洗い場側排水口１１には排水トラップ１８が取付けられ、排水トラップ１８に排水管１７が接続してある。浴槽１は浴槽載置部１Ａに載置され、浴槽載置部１Ａの浴槽部４の浴槽排水口１０の直下位置に浴槽水排水孔１０ａを設け、浴槽排水口１０からの排水が浴槽水排水孔１０ａから接続管１６の排水受け部１６ａ内に流れ落ちるようになっており、この浴槽水排水孔１０ａと洗い場側排水口１１の排水トラップ１８とが接続管１６により接続してあり、排水トラップ１８は排水管１７に接続されている。本例では、図１に示すように、浴槽載置部１Ａに設けられる浴槽水排水孔１０ａの上端をパイプ２８を介して浴槽排水口１０に水密に接続し、浴槽水排水孔１０ａの下端が接続管１６の排水受け１６ａに水密に接続している。
【００２６】
ここで本発明においては、図１、図３に示すように、浴槽載置部１Ａには浴槽水排水孔１０ａとは別に、逆止弁１４付きオーバーフロー排水孔１５が設けられている。これら浴槽水排水孔１０ａ及び逆止弁１４付きオーバーフロー排水孔１５は、仕切り部７の長手方向Ｊ側における浴槽１の巾狭の端辺１ｂ側に寄せて配置されると共に、浴槽水排水孔１０ａと逆止弁１４付きオーバーフロー排水孔１５とは互いに近接して配置している。オーバーフロー排水孔１５の上端は目皿３０を介して浴槽載置部１Ａの上面に開放されており、オーバーフロー排水孔１５の下端は上記接続管１６の排水受け１６ａに接続されている。これにより、浴槽載置部１Ａ上に溜まったオーバーフロー水はオーバーフロー排水孔１５から接続管１６に排水されるようになっている。
【００２７】
オーバーフロー排水孔１５の逆止弁１４は、例えば、ゴム等の軟質材料からなり、その一端がオーバーフロー排水孔１５の上部片面に支持され、他端が上下に撓み自在な自由端とされ、上方からの水圧に対してはオーバーフロー排水孔１５を開放し、下方からの水圧に対してはオーバーフロー排水孔１５を閉塞するものである。この逆止弁１４は浴槽水の排水時に接続管１６からオーバーフロー排水孔１５への排水の逆流を防いで、接続管１６から排水トラップ１８への排水を円滑に行なう働きをする。
【００２８】
また本例では浴槽１の巾狭の端辺１ｂ側における底面から立ち上がり部３１と足乗せ用段部３２とが階段状に形成されており、足乗せ用段部３２の下方に発生するスペースを、逆止弁１４の点検・交換等を行なうための作業用スペース２０として利用している。
【００２９】
上記作業用スペース２０の洗い場２側に面した部位には着脱可能な点検蓋部２１が設けられている。本例では、エプロン５を浴槽１及び仕切り部７から取り外すことで作業用スペース２０が開放され、洗い場２側から作業用スペース２０に手を入れて逆止弁１４の補修・交換を行なえるようにしている。
【００３０】
しかして、浴槽１の巾狭の端辺１ｂ側に寄せて逆止弁１４付きオーバーフロー排水孔１５を配置し、仕切り部７の長手方向Ｊ側における浴槽１の隅部１ｃと上記逆止弁１４との間に作業用スペース２０を形成したので、洗い場２の仕切り部７の長手方向Ｊ側から作業用スペース２０に手を入れて、浴槽１の端辺１ｂ側に配置されている逆止弁１４の補修・交換等を行なうことができる。従って、従来のように仕切り部７の長手方向Ｊに沿う浴槽１の側辺１ａと仕切り部７との間に作業用スペース２０を確保する必要がなくなり、仕切り部７の長手方向Ｊに沿う浴槽１の側辺１ａを仕切り部７に近接して配置できるようになる。従って、浴槽１の巾寸法Ｌを大きく確保でき、浴槽載置部１Ａの横巾全体を浴槽スペースとして有効利用できる。
【００３１】
また、エプロン５は取り外し可能とされるので、エプロン５を取り外すことで、洗い場２側から作業用スペース２０に手を入れて逆止弁１４の補修・交換を行なうことができる。これにより浴槽１のエプロン５自体を点検蓋部２１として機能させることができるので、エプロン５に点検口を孔あけ加工する必要がなく、エプロン５の外観を良好に保てると共に、エプロン５全体を取り外すことで、逆止弁１４の点検作業が一層容易となる。
【００３２】
さらに本発明では、上記のように浴槽水排水孔１０ａと逆止弁１４付きオーバーフロー排水孔１５とを近接配置し、更に加えて仕切り部７を挟んで浴槽排水口１０と洗い場側排水口１１とを互いに近接配置しているので、浴槽排水口１０と逆止弁１４付きオーバーフロー排水孔１５と洗い場側排水口１１とが互いに近づき、浴槽１側から排水トラップ１８へのスムーズに排水できると共に、浴槽水排水孔１０ａとオーバーフロー排水孔１５と排水トラップ１８とを接続する接続管１６を短くできる構造となっている。
【００３３】
また、上記仕切り部７の長手方向Ｊ側における浴槽１の隅部１ｃには空きスペース１９が生じており、この空きスペース１９の上方には首振り用吐水金具８を備えるカウンター部２２が設置されている。本例では、カウンター部２２を構成する洗い場側巾広フランジ部６ｃ’に首振り用吐水金具８が平面視で回動自在に取付けてあり、首振り用吐水金具８を浴槽部４側に回動して洗い場側巾広フランジ部６ｃ’より浴槽部４側に突出させて浴槽部４に給水（給湯）したり、あるいは、洗い場２側に回動して洗い場側巾広フランジ部６ｃ’よりも洗い場２側に突出させて洗い場２側に給水（給湯）したりできるようになっている。ここで、上記のように首振り用吐水金具８を洗い場側巾広フランジ部６ｃ’に設けることで、洗い場側フランジ部６ｃのうち巾広となった部分を有効に利用して首振り用吐水金具８を取付けることができて、風呂蓋９をフランジ部６に載置する際に首振り用吐水金具８の取付け部分に邪魔されることなく風呂蓋９で浴槽部４を閉じることができ、また、足先側フランジ部６ｂよりも他方の短辺Ｂから離れている洗い場側巾広フランジ部６ｃ’に首振り用吐水金具８を取付けることで、他方の短辺Ｂからできるだけ離して首振り用吐水金具８を取付けることができる。しかも、仕切り部７の長手方向Ｊ側における浴槽１の隅部１ｃに生じた空きスペース１９を利用して首振り用吐水金具８を備えるカウンター部２２を設置できると共に、この首振り用吐水金具８の近くに洗い場側排水口１１が配置されているので、首振り用吐水金具８から流れた湯水が洗い場２に流れても該湯水が洗い場２上を流れる距離を短くできることになる。これにより、洗体時の石鹸・洗剤などが洗い場側排水口１１にスムーズに排水されることとなり、洗体時の汚れ水が洗い場２の広い範囲に広がったり、或いは仕切り部７を越えて浴槽載置部１Ａ側へと流れ込んだりするのを防止できる利点がある。
【００３４】
さらに、上記浴槽１の隅部１ｃに生じる空きスペース１９内には、図８に示すように、浴槽１に接続される追い炊き用給湯口２３及び戻り口２４と、吐水金具８に接続される給湯口２５及び給水口２６とを一体に備えた給湯給水用配管ブロック２７が収納されている。この給湯給水用配管ブロック２７は外部の給湯給水機器（図示せず）に接続される。従って、隅部１ｃの空きスペース１９を利用して浴槽１への追い炊き用配管及びカウンター部２２の吐水金具８への給湯給水用配管を１箇所で集中して効率良く行なえる利点がある。
【００３５】
前記実施形態ではエプロン５を取り外して逆止弁１４の点検を行なう場合を例示したが、他例としてエプロン５を取り外し不能とし、このエプロン５に蓋で開閉可能な点検口を形成するようにしてもよい。
【図面の簡単な説明】
【００３６】
【図１】本発明に係る浴室ユニットの浴槽排水口と逆止弁付きオーバーフロー排水孔と洗い場側排水口との配置を説明する平面図である。
【図２】図１のＮ―Ｎ線断面図である。
【図３】図１のＰ―Ｐ線断面図である。
【図４】同上の浴室ユニットの平面図である。
【図５】同上浴室ユニットの正面断面図である。
【図６】同上の浴室ユニットの側面断面図である。
【図７】同上の浴室ユニットを仮想分割線で２分割して２つのエリアに分割することを説明する説明図である。
【図８】同上の浴槽の端辺側の隅部に生じる空きスペース内に給湯給水用配管ブロックを収納した状態を説明する平面図である。
【図９】従来例の平面図である。
【図１０】従来例の側面断面図である。
【符号の説明】
【００３７】
１Ａ  浴槽載置部
１  浴槽
１ａ  側辺
１ｂ  端辺
１ｃ  隅部
２  洗い場
５  エプロン
７  仕切り部
８  吐水金具
１０  浴槽排水口
１０ａ  浴槽水排水孔
１４  逆止弁
１５  オーバーフロー排水孔
１６  接続管
１７  排水管
１９  空きスペース
２０  作業用スペース
２１  点検蓋部
２３  追い炊き用給湯口
２４  追い炊き用戻り口
２５  給湯口
２６  給水口
２７  給湯給水用配管ブロック
Ａ  一方の短辺
Ｂ  他方の短辺
Ｊ  長手方向
Ｙ  浴室ユニット
【図１】
0004706449.tif 000002
【図２】
0004706449.tif 000003
【図３】
0004706449.tif 000004
【図４】
0004706449.tif 000005
【図５】
0004706449.tif 000006
【図６】
0004706449.tif 000007
【図７】
0004706449.tif 000008
【図８】
0004706449.tif 000009
【図９】
0004706449.tif 000010
【図１０】
0004706449.tif 000011